(57)【要約】【課題】  簡単な機構で強い押圧力を要せず、かつ、片側だけ押圧したのでは鏡筒から外れないようにしたレンズキャップを提供することが課題である。【解決手段】  レンズ鏡筒若しくはレンズフード前面を覆うレンズキャップ本体と、レンズ鏡筒若しくはレンズフード内周面に係合する係合部が設けられて前記レンズキャップ本体に保持され、弾性付勢部材を介して接続された一対の押圧部材とからなるレンズキャップにおいて、前記弾性付勢部材は、前記一対の押圧部材のレンズキャップ本体中央方向への押圧により、押圧方向と交差する方向に延在する係合手段を設けた。【選択図】      図１
2007065221.tif 000002
【特許請求の範囲】
【請求項１】
レンズ鏡筒若しくはレンズフード前面を覆うレンズキャップ本体と、前記レンズ鏡筒若しくはレンズフード内周面に係合する爪部が設けられて前記レンズキャップ本体に保持され、弾性付勢部材を介して接続された一対の押圧部材とからなるレンズキャップにおいて、
前記弾性付勢部材は、前記一対の押圧部材のレンズキャップ本体中央方向への押圧により、押圧方向と交差して前記レンズキャップ中央から離れる方向へ膨出するよう形成され、前記弾性付勢部材と前記レンズキャップ本体とに、膨出方向に延在する係合手段を設けたことを特徴とするレンズキャップ。
【請求項２】
前記係合手段は、前記弾性付勢部材における、一対の押圧部材による双方の押圧力がバランスする位置に設けられていることを特徴とする請求項１に記載したレンズキャップ。
【請求項３】
前記レンズキャップ本体側係合手段は、前記レンズキャップ本体中心から離れる方向に前記中心を挟んで対称に設けられた溝部を有し、前記弾性付勢部材側係合手段は、前記溝部に係合するよう設けられた突起であることを特徴とする請求項１または２に記載したレンズキャップ。
【請求項４】
前記レンズキャップ本体側係合手段は前記レンズキャップ本体に立設した突起であり、前記弾性付勢部材側係合手段は前記突起を挟みながら膨出することを特徴とする請求項１または２に記載したレンズキャップ。
【請求項５】
前記弾性付勢部材側係合手段は前記押圧部材による押圧方向と交差する方向に突出させた突起であり、前記レンズキャップ本体側係合手段は前記レンズキャップ本体に立設して前記弾性付勢部材側突起を挟んで案内するリブであることを特徴とする請求項１または２に記載したレンズキャップ。
【発明の詳細な説明】
【技術分野】
【０００１】
本発明は、スチールカメラやデジタルカメラ、及びビデオカメラ等のカメラにおけるレンズ前面を保護するためのレンズキャップに係り、特に、レンズキャップにおけるレンズ鏡筒への装着構造に関するものである。
【背景技術】
【０００２】
一般的にスチールカメラやデジタルカメラ、及びビデオカメラ等におけるレンズ鏡筒には、レンズ前面を保護し、望ましくない光の進入を防ぐためのレンズキャップを装着することが一般的に行われている。
【０００３】
こういったレンズキャップには、単にレンズ鏡筒前面に被せるタイプのものや、図５に示したように、レンズに対向する略円盤状に形成された本体部１０４に、この本体部から突出させて互いに中心から離れる方向に押圧されて、レンズ鏡筒前面内周面に係合する押さえ用の爪（図示せず）を有するつまみ部１０５、１０６を設け、このつまみ部を中心方向に向けて押圧することで縮径させ、カメラ１００のレンズ１０２を収容したレンズ鏡筒１０１における前面内周面１０３に、前記押さえ用爪を係合させるタイプのもの等がある。
【０００４】
このうち単にレンズ鏡筒前面に被せるタイプのものは、非撮影時にレンズをカメラ本体に収納する、いわゆる沈胴式のカメラに用いることができず、また、カメラをカバン等に収納して持ち運ぶ場合、他のものとの接触でレンズキャップが外れ、レンズに傷を付けてしまう等の事故が発生しやすい。
【０００５】
一方、押圧により縮径してレンズ鏡筒前面内周面に係合する押さえ用爪を備えたタイプのものは、前記した沈胴式のレンズにも用いることが可能であり、例えば特許文献１には、押さえ爪を縮径できるようにするために一対のＵ字状に構成した板バネが用いられ、その板バネのＵ字状に湾曲した部分に押圧による応力が集中してクラックが入りやすくなるのを防止するため、板バネの所定部同士を連結するようにしたレンズキャップが示されている。
【０００６】
また特許文献２には、異なった径のレンズに装着できるよう、中心からの距離を異ならせた２箇所に押さえ爪を設け、この押さえ爪を縮径できるようにするため、レンズキャップ中央近傍にスプリングを設けたレンズキャップが示されている。
【０００７】
また特許文献３には、鏡筒先端と、該鏡筒先端とは径の異なるレンズフードの両方に装着できるよう、一対のスライダー部のそれぞれに、中心からの距離を異ならせた２箇所に押さえ爪を設けると共に、略Ｕ字状としてスライダーを互いに離れる方向に付勢するバネを設け、キャップ本体側にはこれらスライダーやバネを保持する係合部を設けたレンズキャップが示されている。
【０００８】
【特許文献１】特開２００２−３６５６９６号公報
【特許文献２】特開２００３−８４３３２号公報
【特許文献３】特開２００４−１０１８０７号公報
【発明の開示】
【発明が解決しようとする課題】
【０００９】
しかしながら特許文献１に示されたものは、板バネの部分の形状が複雑であると共に、略Ｕ字状とした板バネを（中心方向へ）圧縮できる範囲が小さく、強い力で押圧しないと押さえ爪を縮径できない。
【００１０】
また特許文献２と３に示されたものは、キャップ本体から突出している一対のつまみが、中央付近に設けられたバネによって互いに離れる方向に付勢されているだけであるので、つまみ部分にガタが生じ、かつ、片側のつまみをレンズキャップの中心方向に押せばそのままレンズキャップが外れてしまう。そのため、レンズ鏡筒前面に被せるタイプのレンズキャップの場合と同様、カメラをカバン等に収納して持ち運ぶと、他のものとの接触でつまみが押圧され、レンズキャップが外れてレンズに傷を付けてしまう等の事故が発生してしまう。
【００１１】
そのため本発明においては、簡単な機構で強い押圧力を要せず、かつ、ツマミ（押圧部材）部分にガタが生ぜず、しかも片側だけ押圧したのでは鏡筒から外れないようにしたレンズキャップを提供することが課題である。
【課題を解決するための手段】
【００１２】
上記課題を解決するため本発明のレンズキャップは、
レンズ鏡筒若しくはレンズフード前面を覆うレンズキャップ本体と、前記レンズ鏡筒若しくはレンズフード内周面に係合する爪部が設けられて前記レンズキャップ本体に保持され、弾性付勢部材を介して接続された一対の押圧部材とからなるレンズキャップにおいて、
前記弾性付勢部材は、前記一対の押圧部材のレンズキャップ本体中央方向への押圧により、押圧方向と交差して前記レンズキャップ中央から離れる方向へ膨出するよう形成され、前記弾性付勢部材と前記レンズキャップ本体とに、膨出方向に延在する係合手段を設けたことを特徴とする。
【００１３】
このように弾性付勢部材に、レンズキャップ本体中央方向への押圧によって押圧方向と交差して前記レンズキャップ中央から離れる方向に延在する係合手段を設けたことで、弾性付勢部材に接続された押圧部材は係合手段の存在によってがたつくことが無く、また、一対の押圧部材を一緒にレンズキャップ中央方向へ押すと、弾性付勢部材が押圧方向と交差する方向に移動して爪部を容易にレンズ鏡筒若しくはレンズフード内周面に係合させることができる。しかし、この係合手段の存在により、押圧部材の一方をレンズキャップ中央方向に押すと、その押圧力がこの係合手段を一方に押しつけ、摩擦力によって弾性付勢部材を押圧方向に交差する方向に移動する（広がる）のを阻止するから、カメラをカバン等に収納して持ち運ぶことで他のものがこの押圧部材の一方を押し、レンズキャップが外れてレンズに傷を付けてしまう等の事故は防止できる。
【００１４】
そして、前記係合手段は、前記弾性付勢部材における、一対の押圧部材による双方の押圧力がバランスする位置に設けることで、弾性付勢部材の移動距離が最も大きくなり、一方の押圧部材を押したときに、摩擦力によって弾性付勢部材を押圧方向に交差する方向に移動する（広がる）のを阻止する力が最も大きくなってより効果的である。
【００１５】
そして、前記レンズキャップ本体側係合手段は、前記レンズキャップ本体中心から離れる方向に前記中心を挟んで対称に設けられた溝部を有し、前記弾性付勢部材側係合手段は、前記溝部に係合するよう設けられた突起であり、さらに、前記レンズキャップ本体側係合手段は前記レンズキャップ本体に立設した突起であり、前記弾性付勢部材側係合手段は前記突起を挟みながら膨出すること、また、前記弾性付勢部材側係合手段は前記押圧部材による押圧方向と交差する方向に突出させた突起であり、前記レンズキャップ本体側係合手段は前記レンズキャップ本体に立設して前記弾性付勢部材側突起を挟んで案内するリブであることが本発明の好適な実施形態である。
【発明の効果】
【００１６】
以上記載のごとく本発明になるレンズキャップは、簡単な機構で片側だけ押圧したのでは鏡筒から外れず、また、装着に当たって特に強い力を用いる必要もなく、さらに、レンズキャップ本体に対する押圧部材のガタが生じないため、カメラのレンズキャップとして好適である。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１は本発明になる実施形態のレンズキャップにおける実施例１の裏面から見た斜視図であり、図２は（Ａ）がその裏面から見た平面図、（Ｂ）が同じくレンズキャップ本体の平面図、（Ｃ）が弾性付勢部材を介して接続された一対の押圧部材と係合手段の平面図、（Ｄ）がこの係合手段における図２（Ａ）にＥ−Ｅで示した位置の断面図である。
【００１９】
図１、または図２（Ａ）を参照して、このレンズキャップ１は、レンズ鏡筒若しくはレンズフード前面を覆うレンズキャップ本体２と、レンズ鏡筒若しくはレンズフード内周面に係合する爪部３２１、３２２と弾性付勢部材３４１、３４２とを有する鏡筒取り付け部材３とからなっている。
【００２０】
そして図２（Ｃ）に示したように、鏡筒取り付け部材３は、一対の押圧部３１１、３１２と、その押圧部３１１、３１２に設けられてレンズフード内周面に係合する爪部３２１、３２２、レンズキャップ本体２に鏡筒取り付け部材３を保持できるような空間を持って設けられた、押圧部保持部２２１、２２２、２２３、２２４に保持される保持部３３１、３３２が設けられ、両保持部３３１、３３２は弾性付勢部材３４１、３４２を介して接続されている。
【００２１】
一方、図２（Ｂ）に示したように、レンズキャップ本体２は、爪部３２１、３２２がレンズ鏡筒若しくはレンズフード内周面に係合したとき、その爪部３２１、３２２と協働してレンズ鏡筒に収容されたレンズ前面を保護する枠２１１、２１２、前記したように鏡筒取り付け部材３を保持できるような空間を内側に持って設けられた押圧部保持部２２１、２２２、２２３、２２４が設けられている。
【００２２】
また、レンズキャップ本体２と鏡筒取り付け部材３に設けられた弾性付勢部材３４１、３４２には、両押圧部３１１、３１２を押したとき、その押圧方向がバランスする位置（双方の押圧力が相殺されてゼロとなる位置）に、図２（Ｄ）に断面図を示したような押圧方向と交差する方向に延在するレンズキャップ本体２側係合手段たる溝２３１、２３２が設けられ、弾性付勢部材３４１、３４２側には、その溝に係合させる突起３５１、３５２が設けられている。
【００２３】
そのため、図２（Ｃ）に示した鏡筒取り付け部材３の弾性付勢部材３４１、３４２に設けられた突起３５１、３５２を、レンズキャップ本体２に図２（Ｃ）に示したように設けられた溝２３１、２３２に入るように係合させながら、鏡筒取り付け部材３における保持部３３１、３３２を、レンズキャップ本体２における押圧部保持部２２１、２２２、２２３、２２４に填め込むことで、図１に示したようなレンズキャップ１が完成する。
【００２４】
なお、レンズキャップ本体２側係合手段たる溝２３１、２３２は、図では溝２３１、２３２として示したが、両溝を中央位置まで延ばして結合して１つの溝として形成しても良い。また、溝２３１の少なくともＡ部分を図面の上方向が高くなるように段差部を形成し、溝２３２の少なくともＢ部分を図面の下方向が高くなるように段差部を形成し、Ａ部分の段差部に突起３５１が当接することによりレンズキャップ本体２に対して鏡筒取り付け部材３が図面の上方向に移動することを規制し、Ｂ部分の段差部に突起３５２が当接することにより鏡筒取り付け部材３が図面の下方向に移動することを規制するようにしても良い。
【００２５】
また、鏡筒取り付け部材３における弾性付勢部材３４１、３４２は、この弾性付勢部材側係合手段たる突起３５１、３５２が設けられた位置をレンズキャップ１の中心から離れる方向に膨出して形成されていることが好ましく、図示したように、この弾性付勢部材側係合手段たる突起３５１、３５２が設けられた位置を底とする略Ｕ字状に形成することで、押圧部３１１、３１２を押圧したとき、応力が部分的に集中せずに分散し、クラックなどが入るのを防止することができる。
【００２６】
このようにレンズキャップ１を構成することで、鏡筒取り付け部材３における押圧部３１１、３１２をレンズキャップ１の中心方向に押圧すると、弾性付勢部材３４１、３４２は押圧方向と直交する方向（または押圧方向に交差する方向）で、レンズキャップ１の中央から離れる方向へ膨出して広がろうとし、弾性付勢部材３４１、３４２に設けた突起３５１、３５２は、レンズキャップ本体２に設けられた溝２３１、２３２の中をスライドして鏡筒取り付け部材３が縮径され、爪部３２１、３２２をレンズ鏡筒若しくはレンズフード内周面に係合させることが可能となる。
【００２７】
一方、カメラをカバン等に収納して持ち運ぶことで、他のものがこのレンズキャップ１における押圧部３１１、３１２の一方を押しても、その押圧力は突起３５１、３５２を溝２３１、２３２における押圧方向と対向する方の壁に押しつけるだけとなり、摩擦力によって弾性付勢部材３４１、３４２を押圧方向に直交（交差）する方向に移動する（広がる）のを阻止するから、爪部３２１、３２２のレンズ鏡筒若しくはレンズフード内周面への係合が外れることが無く、レンズキャップ１が外れてレンズに傷を付けてしまう等の事故が防止できる。また、レンズキャップ本体に対する押圧部材のガタが生じないため、カメラのレンズキャップとして好適である。
【実施例２】
【００２８】
図３は、本発明になる実施形態のレンズキャップにおける実施例２の裏面から見た（Ａ）が平面図、（Ｂ）が同じくレンズキャップ本体の平面図、（Ｃ）が弾性付勢部材を介して接続された一対の押圧部材と係合手段の平面図、（Ｄ）がこの係合手段における図３（Ａ）にＦ−Ｆで示した位置の断面図である。
【００２９】
前記図１または図２に示したレンズキャップ１では、レンズキャップ本体２側に溝２３１、２３２を、鏡筒取り付け部材３側に突起３５１、３５２を設けた場合を示したが、この図３に示した実施例２では、レンズキャップ本体５側の係合手段はレンズキャップ本体５に立設した突起５３１、５３２であり、鏡筒取り付け部材６側係合手段は突起５３１、５３２を挟み、押圧部６１１、６１２に加えられた押圧により移動する方向に膨出させた膨出部６５１、６５２である。
【００３０】
図３（Ａ）を参照して、この実施例２のレンズキャップ４は、レンズ鏡筒若しくはレンズフード前面を覆うレンズキャップ本体５と、レンズ鏡筒若しくはレンズフード内周面に係合する爪部６２１、６２２と弾性付勢部材６４１、６４２とを有する鏡筒取り付け部材６とからなっている。
【００３１】
そして図３（Ｃ）に示したように、鏡筒取り付け部材６は、一対の押圧部６１１、６１２と、その押圧部６１１、６１２に設けられてレンズフード内周面に係合する爪部６２１、６２２、レンズキャップ本体５に鏡筒取り付け部材６を保持できるような空間を持って設けられた、押圧部保持部５２１、５２２、５２３、５２４に保持される保持部６３１、６３２が設けられ、両保持部６３１、６３２は弾性付勢部材６４１、６４２を介して接続されている。
【００３２】
一方、図３（Ｂ）に示したように、レンズキャップ本体５は、爪部６２１、６２２がレンズ鏡筒若しくはレンズフード内周面に係合したとき、その爪部６２１、６２２と協働してレンズ鏡筒に収容されたレンズ前面を保護する枠５１１、５１２、前記したように鏡筒取り付け部材６を保持できるような空間を内側に持って設けられた押圧部保持部５２１、５２２、５２３、５２４が設けられている。
【００３３】
また、レンズキャップ本体５と鏡筒取り付け部材６に設けられた弾性付勢部材６４１、６４２には、両押圧部６１１、６１２を押したとき、その押圧力がバランスする位置に、図３（Ｄ）に断面図を示したように、レンズキャップ本体５側係合手段たる突起５３１、５３２が設けられ、鏡筒取り付け部材６には、弾性付勢部材３４１、３４２側係合手段たる押圧方向と交差する方向に延在し、突起５３１、５３２を挟んで押圧部６１１、６１２に加えられた押圧により移動する方向に膨出させた膨出部６５１、６５２が設けられている。
【００３４】
そのため、図３（Ｂ）に示したレンズキャップ本体５側係合手段たる突起５３１、５３２を、図３（Ｃ）に示した弾性付勢部材３４１、３４２側係合手段たる膨出部６５１、６５２で挟み、鏡筒取り付け部材６における保持部６３１、６３２を、レンズキャップ本体５における押圧部保持部５２１、５２２、５２３、５２４に填め込むことで、図３（Ａ）に示したようなレンズキャップ４が完成する。
【００３５】
なお、膨出部６５１、６５２は押圧部６１１、６１２の押圧時及び非押圧時のいずれにおいても突起５３１、５３２を挟むような形状とする必要がある。また、本実施形態では、膨出部６５１、６５２は押圧部６１１、６１２の押圧時及び非押圧時のいずれにおいても突起５３１、５３２を挟む場合について説明したが、膨出部６５１、６５２の形状としては、膨出部６５１のＡ部分と突起５３１が当接することによりレンズキャップ本体５に対して鏡筒取り付け部材６が図面の下方向に移動することを規制し、膨出部６５２のＢ部分と突起５３２が当接することにより鏡筒取り付け部材６が図面の上方向に移動することを規制するようにしても良い。
【００３６】
なお、鏡筒取り付け部材６における弾性付勢部材６４１、６４２はレンズキャップ４の中心から離れる方向に膨出させ、略Ｕ字状に形成することで、押圧部６１１、６１２を押圧したとき、応力が部分的に集中せずに分散し、クラックなどが入るのを防止することができることは前記実施例１と同様である。
【００３７】
このようにレンズキャップ４を構成することで、鏡筒取り付け部材６における押圧部６１１、６１２をレンズキャップ４の中心方向に押圧すると、弾性付勢部材６４１、６４２は押圧方向と直交する方向（または押圧方向に交差する方向）でレンズキャップ４の中央から離れる方向へ膨出して広がろうとし、弾性付勢部材６４１、６４２に設けた膨出部６５１、６５２が、レンズキャップ本体２に設けられた突起５３１、５３２を間に挟んでスライドし、鏡筒取り付け部材６が縮径して爪部６２１、６２２を、レンズ鏡筒若しくはレンズフード内周面に係合させることが可能となる。
【００３８】
一方、カメラをカバン等に収納して持ち運ぶことで、他のものがこのレンズキャップ４における押圧部６１１、６１２の一方を押しても、その押圧力は膨出部６５１、６５２が突起５３１、５３２に当接する方向にのみ作用し、摩擦力によって弾性付勢部材６４１、６４２を押圧方向に直交（交差）する方向に移動する（広がる）のを阻止するから、爪部６２１、６２２のレンズ鏡筒若しくはレンズフード内周面への係合が外れることが無く、レンズキャップ４が外れてレンズに傷を付けてしまう等の事故が防止できる。また、レンズキャップ本体に対する押圧部材のガタが生じないため、カメラのレンズキャップとして好適である。
【実施例３】
【００３９】
図４は、本発明になる実施形態のレンズキャップにおける実施例３の裏面から見た、（Ａ）が平面図、（Ｂ）が同じくレンズキャップ本体の平面図、（Ｃ）が弾性付勢部材を介して接続された一対の押圧部材と係合手段の平面図である。
【００４０】
前記図１または図２に示したレンズキャップ１では、レンズキャップ本体２側に溝２３１、２３２を、鏡筒取り付け部材３側に突起３５１、３５２を設けた場合を、図３に示したレンズキャップ４では、レンズキャップ本体５側に突起５３１、５３２を、鏡筒取り付け部材６側に膨出部６５１、６５２を設けた場合を示したが、この図４に示した実施例３では、レンズキャップ本体８側の係合手段はレンズキャップ本体８に立設したリブ８３１、８３２であり、鏡筒取り付け部材９側係合手段は突起９５１、９５２で、リブ８３１、８３２は突起９５１、９５２を挟むように両側に設けられている。
【００４１】
図４（Ａ）を参照して、この実施例３のレンズキャップ７は、レンズ鏡筒若しくはレンズフード前面を覆うレンズキャップ本体８と、レンズ鏡筒若しくはレンズフード内周面に係合する爪部９２１、９２２と弾性付勢部材９４１、９４２とを有する鏡筒取り付け部材９とからなっている。
【００４２】
そして図４（Ｃ）に示したように、鏡筒取り付け部材９は、一対の押圧部９１１、９１２と、その押圧部９１１、９１２に設けられてレンズフード内周面に係合する爪部９２１、９２２、レンズキャップ本体８に鏡筒取り付け部材９を保持できるような空間を持って設けられた、押圧部保持部８２１、８２２、８２３、８２４に保持される保持部９３１、９３２が設けられ、両保持部９３１、９３２は弾性付勢部材９４１、９４２を介して接続されている。
【００４３】
一方、図４（Ｂ）に示したように、レンズキャップ本体に８は、爪部９２１、９２２がレンズ鏡筒若しくはレンズフード内周面に係合したとき、その爪部９２１、９２２と協働してレンズ鏡筒に収容されたレンズ前面を保護する枠８１１、８１２、前記したように鏡筒取り付け部材９を保持できるような空間を内側に持って設けられた押圧部保持部８２１、８２２、８２３、８２４が設けられている。
【００４４】
また、レンズキャップ本体８と鏡筒取り付け部材９に設けられた弾性付勢部材９４１、９４２には、両押圧部９１１、９１２を押したとき、その押圧力がバランスする位置に、レンズキャップ本体５側係合手段たるリブ８３１、８３２が設けられ、鏡筒取り付け部材９には、弾性付勢部材９４１、９４２側係合手段たる押圧方向と交差する方向に突出させた突起９５１、９５２が設けられている。
【００４５】
そのため、図４（Ｂ）に示したレンズキャップ本体８側係合手段たるリブ８３１、８３２で、図４（Ｃ）に示した弾性付勢部材９４１、９４２側係合手段たる突起９５１、９５２を挟み、鏡筒取り付け部材９における保持部９３１、９３２を、レンズキャップ本体８における押圧部保持部８２１、８２２、８２３、８２４に填め込むことで、図４（Ａ）に示したようなレンズキャップ７が完成する。
【００４６】
なお、鏡筒取り付け部材９における弾性付勢部材９４１、９４２はレンズキャップ７の中心から離れる方向に膨出させ、略Ｕ字状に形成することで、押圧部９１１、９１２を押圧したとき、応力が部分的に集中せずに分散し、クラックなどが入るのを防止することができることは前記実施例１、２と同様である。
【００４７】
なお、突起９５１、９５２は押圧部９１１、９１２の押圧時及び非押圧時のいずれにおいてもリブ８３１、８３２を填め込むような形状とする必要がある。また、本実施形態では、突起９５１、９５２はリブ８３１、８３２の押圧時及び非押圧時のいずれにおいてもリブ８３１、８３２を填め込む場合について説明したが、リブ８３１のＡ（図面の上方）とリブ８３２のＢ（図面の下方）のみ残し、突起９５１のＡ部分とリブ８３１が当接することによりレンズキャップ本体８に対して鏡筒取り付け部材９が図面の上方向に移動することを規制し、突起９５２のＢ部分とリブ８３２が当接することにより鏡筒取り付け部材９が図面の下方向に移動することを規制するようにしても良い。
【００４８】
このようにレンズキャップ７を構成することで、鏡筒取り付け部材９における押圧部９１１、９１２をレンズキャップ７の中心方向に押圧すると、弾性付勢部材９４１、９４２は押圧方向と直交する方向（または押圧方向に交差する方向）でレンズキャップ７の中央から離れる方向へ膨出して広がろうとし、弾性付勢部材９４１、９４２に設けた突起９５１、９５２が、レンズキャップ本体２に設けられたリブ８３１、８３２の間をスライドして鏡筒取り付け部材９が縮径され、爪部９２１、９２２をレンズ鏡筒若しくはレンズフード内周面に係合させることが可能となる。
【００４９】
一方、カメラをカバン等に収納して持ち運ぶことで、他のものがこのレンズキャップ７における押圧部９１１、９１２の一方を押しても、その押圧力は突起９５１、９５２がリブ８３１、８３２に当接するよう作用するだけで、摩擦力によって弾性付勢部材９４１、９４２を押圧方向に直交（交差）する方向に移動する（広がる）のを阻止するから、爪部９２１、９２２のレンズ鏡筒若しくはレンズフード内周面への係合が外れることが無く、レンズキャップ７が外れてレンズに傷を付けてしまう等の事故が防止できる。また、レンズキャップ本体に対する押圧部材のガタが生じないため、カメラのレンズキャップとして好適である。
【００５０】
このように本発明によれば、弾性付勢部材３４１、３４２、６４１、６４２、９４１、９４２に、レンズキャップ１、４、７の中央方向への押圧によって押圧方向と交差する方向に延在する係合手段を設けたことで、弾性付勢部材３４１、３４２、６４１、６４２、９４１、９４２に接続された押圧部３１１、３１２、６１１、６１２、９１１、９１２は係合手段の存在によってがたつくことが無く、また、一対の押圧部３１１、３１２、６１１、６１２、９１１、９１２を一緒にレンズキャップ１、４、７の中央方向へ押すと、弾性付勢部材３４１、３４２、６４１、６４２、９４１、９４２が押圧方向と交差する方向に移動して、爪部３２１、３２２、６２１、６２２、９２１、９２２を容易にレンズ鏡筒若しくはレンズフード内周面に係合させることができる。しかし、この係合手段の存在により、押圧部３１１、３１２、６１１、６１２、９１１、９１２の一方のみをレンズキャップ中央方向に押すと、その押圧力はこの係合手段を一方に押しつけるだけで、摩擦力によって弾性付勢部材３４１、３４２、６４１、６４２、９４１、９４２を押圧方向に交差する方向に移動する（広がる）のを阻止するから、カメラをカバン等に収納して持ち運ぶことで他のものがこの押圧部３４１、３４２、６４１、６４２、９４１、９４２の一方を押し、レンズキャップ１、４、７が外れてレンズに傷を付けてしまう等の事故は防止できる。
【産業上の利用可能性】
【００５１】
本発明によれば、カバンの中等に収容しても簡単に外れず、知らないうちにレンズ表面を傷つけたりすることのないレンズキャップを提供することができる。
【図面の簡単な説明】
【００５２】
【図１】本発明になる実施形態のレンズキャップにおける実施例１を、裏面から見た斜視図である。
【図２】実施例１のレンズキャップにおける、（Ａ）が裏面から見た平面図、（Ｂ）が同じくレンズキャップ本体の平面図、（Ｃ）が弾性付勢部材を介して接続された一対の押圧部材と係合手段の平面図、（Ｄ）がこの係合手段における図２（Ａ）にＥ−Ｅで示した位置の断面図である。
【図３】実施例２のレンズキャップにおける、（Ａ）が裏面から見た平面図、（Ｂ）が同じくレンズキャップ本体の平面図、（Ｃ）が弾性付勢部材を介して接続された一対の押圧部材と係合手段の平面図、（Ｄ）がこの係合手段における図３（Ａ）にＦ−Ｆで示した位置の断面図である。
【図４】実施例３のレンズキャップにおける、（Ａ）が裏面から見た平面図、（Ｂ）が同じくレンズキャップ本体の平面図、（Ｃ）が弾性付勢部材を介して接続された一対の押圧部材と係合手段の平面図である。
【図５】カメラにおけるレンズ鏡筒内周面に係合させる爪を有するタイプのレンズキャップを説明するための斜視図である。
【符号の説明】
【００５３】
１  レンズキャップ
２  レンズキャップ本体
２１１、２１２  枠
２２１、２２２、２２３、２２４  押圧部保持部
２３１、２３２  溝
３  鏡筒取り付け部材
３１１、３１２  押圧部
３２１、３２２  爪部
３３１、３３２  保持部
３４１、３４２  弾性付勢部材
３５１、３５２  突起
【図１】
2007065221.tif 000003
【図２】
2007065221.tif 000004
【図３】
2007065221.tif 000005
【図４】
2007065221.tif 000006
【図５】
2007065221.tif 000007